(57)【要約】【課題】複数の撮影画像の中から所望の撮影画像を検索する際の作業効率や利便性を向上させる。【解決手段】  ＤＳＰ／ＣＰＵ５は、ＧＰＳブロック８により取得した現在位置を検索用位置データとして設定し、方位センサ１６により取得した現在方向（カメラ本体が向けられている方向）を検索用方向データとして設定する。現在位置を中心として現在方向の所定角度範囲内を検索対象とし、メモリーカード１５に記録されている複数の画像データの中から、属性情報として付加されている撮影位置が検索対象の範囲に含まれる全ての画像データを表示候補として抽出する。抽出した画像データを、キー入力部７のズームキーの操作に応じ、現在位置から撮影位置までの距離に従った順序で切り替える。現在位置又は現在方向の変化に伴い検索対象が変化するため、新たな表示候補の絞り込み作業を、カメラ本体の移動操作や回転操作のみによって行うことができる。【選択図】  図１
2012191629.tif 000002
【特許請求の範囲】
【請求項１】
撮像により取得された撮影画像の画像データを記録する記録手段と、この記録手段に記録されている画像データに基づく画像を表示する表示手段とを備えた画像表示装置において、
前記画像データに付随する属性情報の値を対象とする第１の検索条件および第２の検索条件に基づいて、前記記録手段に記録されている複数の画像データの中から表示候補を検索する検索手段と、
この検索手段により表示候補として検索された画像データに基づく画像を前記表示手段に表示させる表示制御手段と、
前記検索手段による表示候補の検索動作と対応付けられた装置本体の第１の種類の動きの有無を逐次検出する第１の検出手段と、
この第１の検出手段によって装置本体の前記第１の種類の動きが検出されたことに応答し、前記検索手段が使用する前記第１の検索条件を変更する第１の検索条件変更手段と、
前記第１の検索条件変更手段による前記第１の検索条件の変更とは独立して前記第２の検索条件を変更する第２の検索条件変更手段と、
を備えたことを特徴とする画像表示装置。
【請求項２】
前記検索手段による表示候補の検索動作と対応付けられた装置本体の前記第１の種類の動きとは異なる第２の種類の動きの有無を逐次検出する第２の検出手段を更に備え、
前記第２の検索条件変更手段は、この第２の検出手段によって装置本体の前記第２の種類の動きが検出されたことに応答し、前記検索手段が使用する前記第２の検索条件を変更することを特徴とする請求項１記載の画像表示装置。
【請求項３】
前記検索手段による検索動作と対応付けられた装置の第１の操作部に対する操作の有無を逐次検出する第３の検出手段を更に備え、
前記第２の検索条件変更手段は、この第３の検出手段によって装置本体の前記第１の操作部に対する操作が検出されたことに応答し、前記検索手段が使用する前記第２の検索条件を変更することを特徴とする請求項１記載の画像表示装置。
【請求項４】
前記検索手段は、前記画像データに付随する属性情報の値が前記第１の検索条件および前記第２の検索条件の両方を満たす画像データを表示候補として、前記記録手段に記録されている複数の画像データの中から検索し、
前記表示制御手段は、前記検索手段により表示候補として検索された画像データを表示対象として前記表示手段に表示させることを特徴とする請求項１又は２，３記載の画像表示装置。
【請求項５】
前記表示制御手段は、前記検索手段により前記第１の検索条件に対応して検索された複数の画像データを、前記検索手段により前記第２の検索条件に対応して検索される順番で前記表示手段に表示させることを特徴とする請求項１乃至４いずれか記載の画像表示装置。
【請求項６】
前記表示制御手段は、前記検索手段により前記第１の検索条件に対応して検索された複数の画像データを前記表示手段に表示させるとともに、この表示手段に表示された複数の画像データの中で、前記検索手段により前記第２の検索条件に対応して検索された画像データを識別して表示させることを特徴とする請求項１又は２，３記載の画像表示装置。
【請求項７】
前記第１の検索条件変更手段は、前記第１の検出手段によって装置本体の第１の種類の動きが検出されたことに応答し、前記検索手段による検索の対象となる属性項目の値が、装置本体の前記第１の種類の動き方向に対応する方向に変化するように、前記第１の検索条件を変化させることを特徴とする請求項１乃至６いずれか記載の画像表示装置。
【請求項８】
前記画像データに付随する複数種類の項目からなる属性情報の中で前記検索手段が検索条件として使用する項目として、使用者に選択された種類の項目を設定する項目設定手段をさらに備え、
前記検索手段は、前記項目設定手段により設定された項目の値を対象とする第１の検索条件および第２の検索条件に基づいて、前記記録手段に記録されている複数の画像データの中から表示候補を検索することを特徴とする請求項１乃至７いずれか記載の画像表示装置。
【請求項９】
前記検索手段による検索動作と対応付けられた装置本体の前記第１の種類の動きとして、使用者に選択された種類の動きを設定する動き設定手段をさらに備えたことを特徴とする請求項１乃至８いずれか記載の画像表示装置。
【請求項１０】
前記動き設定手段は、装置本体が回転する動きまたは装置本体が並行移動する動きのいずれかを使用者に選択させることを特徴とする請求項９記載の画像表示装置。
【請求項１１】
前記動き設定手段は、装置本体の回転軸または装置本体の並行移動の方向を使用者に選択させることを特徴とする請求項９記載の画像表示装置。
【請求項１２】
前記検索手段による検索動作と対応付けられた装置の第１の操作部に対する操作として、使用者に選択された種類の操作を設定する操作設定手段をさらに備えたことを特徴とする請求項３乃至１１いずれか記載の画像表示装置。
【請求項１３】
前記操作設定手段は、装置のズーム操作部に対するズーム操作を使用者に選択させることを特徴とする請求項１２記載の画像表示装置。
【請求項１４】
前記第１の検索条件変更手段は、前記第１の検出手段によって装置本体の一定量を超える前記第１の種類の動きが検出されたことに応答し、前記検索手段が使用する前記第１の検索条件を変更することを特徴とする請求項１乃至１３いずれか記載の画像表示装置。
【請求項１５】
撮像により取得された撮影画像の画像データを記録する記録手段と、この記録手段に記録されている画像データに基づく画像を表示する表示手段とを備えた画像表示装置において、
前記画像データに付随する複数項目からなる属性情報におけるいずれかの項目の値を検索条件として、前記記録手段に記録されている複数の画像データの中から表示候補を検索する検索手段と、
この検索手段により表示候補として検索された画像データに基づく画像を前記表示手段に表示させる表示制御手段と、
前記検索手段による表示候補の検索動作と対応付けられた種類の装置本体の所定の動きの有無を逐次検出する検出手段と、
この検出手段によって装置本体の所定の動きが検出されたことに応答し、前記検索手段が検索条件として使用する所定項目の値を変更する検索条件変更手段と
を備えたことを特徴とする画像表示装置。
【請求項１６】
前記画像データに付随する複数項目からなる属性情報におけるいずれかの項目の値を選択条件として、前記検索手段により表示候補として検索された画像データの中から、前記表示制御手段が前記表示手段に画像として表示させるべき表示対象を選択する選択手段と、
この選択手段による表示対象の選択動作と対応付けられた種類の装置本体の前記所定の動きとは異なる第２の動きの有無を逐次検出する第２の検出手段と、
この第２の検出手段によって装置本体の第２の動きが検出されたことに応答し、前記選択手段が選択条件として使用する第２の所定項目の値を変更する選択条件変更手段と
をさらに備えたことを特徴とする請求項１５記載の画像表示装置。
【請求項１７】
前記選択条件変更手段は、前記第２の検出手段によって装置本体の第２の動きが検出されたことに応答し、前記選択手段により選択条件として使用される第２の所定項目の値を、装置本体の動き方向に対応する方向に変化させることを特徴とする請求項１６記載の画像表示装置。
【請求項１８】
前記選択手段が選択条件として使用する前記第２の所定項目として、使用者に選択された種類の項目を設定する第２の項目設定手段をさらに備えたことを特徴とする請求項１６又は１７記載の画像表示装置。
【請求項１９】
前記選択手段による表示対象の選択動作と対応付けられた装置本体の第２の動きの種類として、使用者に選択された種類を設定する第２の動き設定手段をさらに備えたことを特徴とする請求項１６又は１７，１８記載の画像表示装置。
【請求項２０】
前記選択条件変更手段が、前記検出手段によって装置本体の第２の動きが検出されたことに応答し、前記第２の所定項目の値を変更するときの、装置本体の第２の動きの量に対する前記第２の所定項目の値の変化量の比率を設定する比率設定手段をさらに備えたことを特徴とする請求項１６乃至１９いずれか記載の画像表示装置。
【請求項２１】
撮像手段により撮像された撮影画像の画像データを記録する記録手段と、この記録手段に記録されている画像データに基づく画像を表示する表示手段を備えた画像表示装置において、
前記画像データに付随する複数項目からなる属性情報におけるいずれかの項目の値を検索条件とし、前記記録手段に記録されている複数の画像データの中から表示候補を検索する工程と、
検索した表示候補の画像データに基づく画像を表示する工程と、
前記表示候補の検索及び表示候補の画像データに基づく画像の表示を繰り返す間、前記表示候補の検索動作と対応付けられた種類の装置本体の所定の動きの有無を逐次検出する工程と、
前記装置本体の所定の動きを検出したことに応答し、前記表示候補の検索に際して検索条件として使用する項目の値を逐次変更する工程と、
を含むことを特徴とする画像表示方法。
【請求項２２】
撮像手段により撮像された撮影画像の画像データを記録する記録手段と、この記録手段に記録されている画像データに基づく画像を表示する表示手段を備えた画像表示装置が有するコンピュータを、
前記画像データに付随する複数項目からなる属性情報におけるいずれかの項目の値を検索条件として、前記記録手段に記録されている複数の画像データの中から表示候補を検索する検索手段と、
この検索手段により表示候補として検索された画像データに基づく画像を前記表示手段に表示させる表示制御手段と、
前記検索手段による表示候補の検索動作と対応付けられた種類の装置本体の所定の動きの有無を逐次検出する検出手段と、
この検出手段によって装置本体の所定の動きが検出されたことに応答し、前記検索手段が検索条件として使用する所定項目の値を変更する検索条件変更手段と
して機能させることを特徴とする画像表示プログラム。
【請求項２３】
撮像手段により撮像された撮影画像の画像データを記録する記録手段と、この記録手段に記録されている画像データに基づく画像を表示する表示手段を備えたカメラ装置において、
前記画像データに付随する複数項目からなる属性情報におけるいずれかの項目の値を検索条件として、前記記録手段に記録されている複数の画像データの中から表示候補を検索する検索手段と、
この検索手段により表示候補として検索された画像データに基づく画像を前記表示手段に表示させる表示制御手段と、
前記検索手段による表示候補の検索動作と対応付けられた種類のカメラ本体の所定の動きの有無を逐次検出する検出手段と、
この検出手段によってカメラ本体の所定の動きが検出されたことに応答し、前記検索手段が検索条件として使用する所定項目の値を変更する検索条件変更手段と
を備えたことを特徴とするカメラ装置。
【発明の詳細な説明】
【技術分野】
【０００１】
本発明は、記録されている画像データの検索機能を有する画像表示装置、及び画像表示方法、画像表示プログラムに関するものである。
【背景技術】
【０００２】
従来、デジタルカメラ等において、画像データとして記録されている過去に撮影した複数の撮影画像の中から所望の撮影画像を探す場合に、画像データに付加されている撮影日時や撮影場所等の各々の画像データに固有の属性情報を利用することにより、表示候補となる複数の撮影画像の検索（絞り込み）や、それらの表示順を決める技術が知られている（例えば下記特許文献１参照）。係る技術によれば所望の撮影画像を効率的に検索することができる。また、例えば下記特許文献２には、表示手段に表示されている頁（画面）を、ユーザのボタン操作によらず装置本体を回動させることにより切替可能とする技術が記載されている。したがって、係る技術を用いれば、上記のように属性情報に基づいて検索された表示候補である複数の撮影画像をボタン操作を行うことなく切替表示することができる。
【先行技術文献】
【特許文献】
【０００３】
【特許文献１】特開２００６−２７９７６４
【特許文献２】特開２００３−２１６３００
【発明の概要】
【発明が解決しようとする課題】
【０００４】
しかしながら、所望の撮影画像を表示させる（検索する）場合には、表示候補となる複数の撮影画像それ自体を何度も切り替える必要がある。そのため、仮に表示候補となった複数の撮影画像を装置本体の回動操作によって切替可能にしても、所望の撮影画像を検索する際の作業性や作業効率を向上させるには到らないという問題があった。
【０００５】
本発明は、かかる従来の課題に鑑みてなされたものであり、記録されている複数の撮影画像の中から所望の撮影画像を検索する際の作業効率や利便性を向上させることができる画像表示装置、及び画像表示方法、画像表示プログラムを提供することを目的とする。
【課題を解決するための手段】
【０００６】
前記課題を解決するため請求項１記載の発明に係る画像表示装置にあっては、撮像により取得された撮影画像の画像データを記録する記録手段と、この記録手段に記録されている画像データに基づく画像を表示する表示手段とを備えた画像表示装置において、前記画像データに付随する属性情報の値を対象とする第１の検索条件および第２の検索条件に基づいて、前記記録手段に記録されている複数の画像データの中から表示候補を検索する検索手段と、この検索手段により表示候補として検索された画像データに基づく画像を前記表示手段に表示させる表示制御手段と、前記検索手段による表示候補の検索動作と対応付けられた装置本体の第１の種類の動きの有無を逐次検出する第１の検出手段と、この第１の検出手段によって装置本体の前記第１の種類の動きが検出されたことに応答し、前記検索手段が使用する前記第１の検索条件を変更する第１の検索条件変更手段と、前記第１の検索条件変更手段による前記第１の検索条件の変更とは独立して前記第２の検索条件を変更する第２の検索条件変更手段と、を備えたことを特徴とする。
【０００７】
また、請求項２記載の発明に係る画像表示装置にあっては、前記検索手段による表示候補の検索動作と対応付けられた装置本体の前記第１の種類の動きとは異なる第２の種類の動きの有無を逐次検出する第２の検出手段を更に備え、前記第２の検索条件変更手段は、この第２の検出手段によって装置本体の前記第２の種類の動きが検出されたことに応答し、前記検索手段が使用する前記第２の検索条件を変更することを特徴とする。
【０００８】
また、請求項３記載の発明に係る画像表示装置にあっては、前記検索手段による検索動作と対応付けられた装置の第１の操作部に対する操作の有無を逐次検出する第３の検出手段を更に備え、前記第２の検索条件変更手段は、この第３の検出手段によって装置本体の前記第１の操作部に対する操作が検出されたことに応答し、前記検索手段が使用する前記第２の検索条件を変更することを特徴とする。
【０００９】
また、請求項４記載の発明に係る画像表示装置にあっては、前記検索手段は、前記画像データに付随する属性情報の値が前記第１の検索条件および前記第２の検索条件の両方を満たす画像データを表示候補として、前記記録手段に記録されている複数の画像データの中から検索し、前記表示制御手段は、前記検索手段により表示候補として検索された画像データを表示対象として前記表示手段に表示させることを特徴とする。
【００１０】
また、請求項５記載の発明に係る画像表示装置にあっては、前記表示制御手段は、前記検索手段により前記第１の検索条件に対応して検索された複数の画像データを、前記検索手段により前記第２の検索条件に対応して検索される順番で前記表示手段に表示させることを特徴とする。
【００１１】
また、請求項６記載の発明に係る画像表示装置にあっては、前記表示制御手段は、前記検索手段により前記第１の検索条件に対応して検索された複数の画像データを前記表示手段に表示させるとともに、この表示手段に表示された複数の画像データの中で、前記検索手段により前記第２の検索条件に対応して検索された画像データを識別して表示させることを特徴とする。
【００１２】
また、請求項７記載の発明に係る画像表示装置にあっては、前記第１の検索条件変更手段は、前記第１の検出手段によって装置本体の第１の種類の動きが検出されたことに応答し、前記検索手段による検索の対象となる属性項目の値が、装置本体の前記第１の種類の動き方向に対応する方向に変化するように、前記第１の検索条件を変化させることを特徴とする。
【００１３】
また、請求項８記載の発明に係る画像表示装置にあっては、前記画像データに付随する複数種類の項目からなる属性情報の中で前記検索手段が検索条件として使用する項目として、使用者に選択された種類の項目を設定する項目設定手段をさらに備え、前記検索手段は、前記項目設定手段により設定された項目の値を対象とする第１の検索条件および第２の検索条件に基づいて、前記記録手段に記録されている複数の画像データの中から表示候補を検索することを特徴とする。
【００１４】
また、請求項９記載の発明に係る画像表示装置にあっては、前記検索手段による検索動作と対応付けられた装置本体の前記第１の種類の動きとして、使用者に選択された種類の動きを設定する動き設定手段をさらに備えたことを特徴とする。
【００１５】
また、請求項１０記載の発明に係る画像表示装置にあっては、前記動き設定手段は、装置本体が回転する動きまたは装置本体が並行移動する動きのいずれかを使用者に選択させることを特徴とする。
【００１６】
また、請求項１１記載の発明に係る画像表示装置にあっては、前記動き設定手段は、装置本体の回転軸または装置本体の並行移動の方向を使用者に選択させることを特徴とする。
【００１７】
また、請求項１２記載の発明に係る画像表示装置にあっては、前記検索手段による検索動作と対応付けられた装置の第１の操作部に対する操作として、使用者に選択された種類の操作を設定する操作設定手段をさらに備えたことを特徴とする。
【００１８】
また、請求項１３記載の発明に係る画像表示装置にあっては、前記操作設定手段は、装置のズーム操作部に対するズーム操作を使用者に選択させることを特徴とする。
【００１９】
また、請求項１４記載の発明に係る画像表示装置にあっては、前記第１の検索条件変更手段は、前記第１の検出手段によって装置本体の一定量を超える前記第１の種類の動きが検出されたことに応答し、前記検索手段が使用する前記第１の検索条件を変更することを特徴とする。
【００２０】
また、請求項１５記載の発明に係る画像表示装置にあっては、撮像により取得された撮影画像の画像データを記録する記録手段と、この記録手段に記録されている画像データに基づく画像を表示する表示手段とを備えた画像表示装置において、前記画像データに付随する複数項目からなる属性情報におけるいずれかの項目の値を検索条件として、前記記録手段に記録されている複数の画像データの中から表示候補を検索する検索手段と、この検索手段により表示候補として検索された画像データに基づく画像を前記表示手段に表示させる表示制御手段と、前記検索手段による表示候補の検索動作と対応付けられた種類の装置本体の所定の動きの有無を逐次検出する検出手段と、この検出手段によって装置本体の所定の動きが検出されたことに応答し、前記検索手段が検索条件として使用する所定項目の値を変更する検索条件変更手段とを備えたことを特徴とする。
【００２１】
また、請求項１６記載の発明に係る画像表示装置にあっては、前記画像データに付随する複数項目からなる属性情報におけるいずれかの項目の値を選択条件として、前記検索手段により表示候補として検索された画像データの中から、前記表示制御手段が前記表示手段に画像として表示させるべき表示対象を選択する選択手段と、この選択手段による表示対象の選択動作と対応付けられた種類の装置本体の前記所定の動きとは異なる第２の動きの有無を逐次検出する第２の検出手段と、この第２の検出手段によって装置本体の第２の動きが検出されたことに応答し、前記選択手段が選択条件として使用する第２の所定項目の値を変更する選択条件変更手段とをさらに備えたことを特徴とする。
【００２２】
また、請求項１７記載の発明に係る画像表示装置にあっては、前記選択条件変更手段は、前記第２の検出手段によって装置本体の第２の動きが検出されたことに応答し、前記選択手段により選択条件として使用される第２の所定項目の値を、装置本体の動き方向に対応する方向に変化させることを特徴とする。
【００２３】
また、請求項１８記載の発明に係る画像表示装置にあっては、前記選択手段が選択条件として使用する前記第２の所定項目として、使用者に選択された種類の項目を設定する第２の項目設定手段をさらに備えたことを特徴とする。
【００２４】
また、請求項１９記載の発明に係る画像表示装置にあっては、前記選択手段による表示対象の選択動作と対応付けられた装置本体の第２の動きの種類として、使用者に選択された種類を設定する第２の動き設定手段をさらに備えたことを特徴とする。
【００２５】
また、請求項２０記載の発明に係る画像表示装置にあっては、前記選択条件変更手段が、前記検出手段によって装置本体の第２の動きが検出されたことに応答し、前記第２の所定項目の値を変更するときの、装置本体の第２の動きの量に対する前記第２の所定項目の値の変化量の比率を設定する比率設定手段をさらに備えたことを特徴とする。
【００２６】
また、請求項２１記載の発明に係る画像表示方法にあっては、撮像手段により撮像された撮影画像の画像データを記録する記録手段と、この記録手段に記録されている画像データに基づく画像を表示する表示手段を備えた画像表示装置において、前記画像データに付随する複数項目からなる属性情報におけるいずれかの項目の値を検索条件とし、前記記録手段に記録されている複数の画像データの中から表示候補を検索する工程と、検索した表示候補の画像データに基づく画像を表示する工程と、前記表示候補の検索及び表示候補の画像データに基づく画像の表示を繰り返す間、前記表示候補の検索動作と対応付けられた種類の装置本体の所定の動きの有無を逐次検出する工程と、前記装置本体の所定の動きを検出したことに応答し、前記表示候補の検索に際して検索条件として使用する項目の値を逐次変更する工程と、を含むことを特徴とする。
【００２７】
また、請求項２２記載の発明に係る画像表示プログラムにあっては、撮像手段により撮像された撮影画像の画像データを記録する記録手段と、この記録手段に記録されている画像データに基づく画像を表示する表示手段を備えた画像表示装置が有するコンピュータを、前記画像データに付随する複数項目からなる属性情報におけるいずれかの項目の値を検索条件として、前記記録手段に記録されている複数の画像データの中から表示候補を検索する検索手段と、この検索手段により表示候補として検索された画像データに基づく画像を前記表示手段に表示させる表示制御手段と、前記検索手段による表示候補の検索動作と対応付けられた種類の装置本体の所定の動きの有無を逐次検出する検出手段と、この検出手段によって装置本体の所定の動きが検出されたことに応答し、前記検索手段が検索条件として使用する所定項目の値を変更する検索条件変更手段として機能させることを特徴とする。
【００２８】
また、請求項２３記載の発明に係るカメラ装置にあっては、撮像手段により撮像された撮影画像の画像データを記録する記録手段と、この記録手段に記録されている画像データに基づく画像を表示する表示手段を備えたカメラ装置において、前記画像データに付随する複数項目からなる属性情報におけるいずれかの項目の値を検索条件として、前記記録手段に記録されている複数の画像データの中から表示候補を検索する検索手段と、この検索手段により表示候補として検索された画像データに基づく画像を前記表示手段に表示させる表示制御手段と、前記検索手段による表示候補の検索動作と対応付けられた種類のカメラ本体の所定の動きの有無を逐次検出する検出手段と、この検出手段によってカメラ本体の所定の動きが検出されたことに応答し、前記検索手段が検索条件として使用する所定項目の値を変更する検索条件変更手段とを備えたことを特徴とする。
【発明の効果】
【００２９】
本発明によれば、記録されている複数の撮影画像の中から所望の撮影画像を検索する際の作業効率や利便性を向上させることが可能となる。
【図面の簡単な説明】
【００３０】
【図１】本発明に係るデジタルカメラの電気的構成の概略を示したブロック図である。
【図２】画像閲覧モードでのＤＳＰ／ＣＰＵ５の処理内容を示したフローチャートである。
【図３】図２に続くフローチャートである。
【図４】現在位置および現在方向と、検索対象となる撮影位置の範囲との関係を示す概念図である。
【発明を実施するための形態】
【００３１】
以下、本発明の一実施の形態を図にしたがって説明する。
図１は、本発明に係るデジタルカメラの電気的構成の概略を示したブロック図である。図示したように本実施形態のデジタルカメラは、フォーカスレンズやズームレンズを構成するレンズ群、及びレンズ群を駆動するための駆動回路からなる光学系ブロック１と、上記レンズ群を介して結像された被写体の光学像を撮像信号に変換するＣＣＤ２を有している。
【００３２】
ＣＣＤ２は、ＴＧ（Timing Generator）３により生成された駆動信号により駆動されることにより被写体を撮像し、前記撮像信号をアナログ信号処理回路４へ出力する。アナログ信号処理回路４は、入力した撮像信号を保持するＣＤＳと、その撮像信号を増幅するゲイン調整アンプ（ＡＧＣ）、増幅された撮像信号をデジタルの撮像信号に変換するＡ／Ｄ変換器（ＡＤ）から構成されており、デジタル変換後の撮像信号はアナログ信号処理回路４からＤＳＰ／ＣＰＵ５に送られる。
【００３３】
ＤＳＰ／ＣＰＵ５は、画像データの圧縮・伸張、音声データの処理を含む各種のデジタル信号処理機能を有するとともに、デジタルカメラの各部を制御するワンチップマイコンである。なお、ＤＳＰ／ＣＰＵ５にはカレンダー機能を有する内蔵時計が設けられている。
【００３４】
ＤＳＰ／ＣＰＵ５には、表示装置６、キー入力部７、ＧＰＳブロック８、センサブロック１０が接続され、また、アドレス・データバス１１を介してＤＲＡＭ１２、内蔵フラッシュメモリ１３、カードインターフェイス１４が接続されている。また、カードインターフェイス１４には、図示しないカメラ本体のカードスロットに着脱自在に装着されたメモリーカード１５が接続されている。
【００３５】
ＤＲＡＭ１２は、ＣＣＤ２により撮像された後デジタル化された被写体の画像データ等を一時保存するバッファであるとともに、ＤＳＰ／ＣＰＵ５のワーキングメモリとしても使用される。ＤＲＡＭ１２に一時保存された画像データは、記録モードで撮影待機状態にあるときにはＤＳＰ／ＣＰＵ５による各種の画像処理を経て表示装置６に送られる。また、撮影時にはＤＳＰ／ＣＰＵ５によって圧縮（符号化）された後、最終的には圧縮後の画像データ（画像データ本体）に、カメラのモデル名や、撮影日時、撮影位置（緯度、経度）、撮影条件等の種々の属性情報が付加されたＥｘｉｆ形式等の所定のフォーマットを備えた静止画ファイルとしてメモリーカード１５に記録される。
【００３６】
表示装置６はカラーＬＣＤとその駆動回路とを含み、撮影待機状態ではＣＣＤ２により撮像された被写体画像をスルー画像として表示し、再生モードでは、ＤＳＰ／ＣＰＵ５によってメモリーカード１５から読み出され伸張された任意の記録画像を表示する本発明の表示手段である。キー入力部７は、電源キー、記録モードと再生モードの基本動作モードの設定に使用されるモードキー、シャッタキー、ズームキー、ＭＥＮＵキー、十字キー、セットキー等の複数の操作キーを含み、使用者によるキー操作に応じたキー入力信号をＤＳＰ／ＣＰＵ５に出力する。
【００３７】
ＧＰＳブロック８は、ＧＰＳアンテナ９によって受信した衛星からのＬ１帯のＣ／Ａコード（ＧＰＳデータ）を復調・解読して現在位置の緯度／経度を割り出す制御回路と、緯度／経度の割り出しに不可欠な測地系に関するデータを記憶するメモリと、ＧＰＳ衛星から送られる電波の受信タイミングを決めるために、現地時刻を高精度でカウントする時計回路とからなり、現在位置の緯度、経度等の測位データをＤＳＰ／ＣＰＵ５へ送る。ここで取得された緯度、経度のデータが撮影場所を示す位置情報として静止画ファイルに記録される。
【００３８】
センサブロック１０は、方位センサ１６及び加速度センサ１７と、各センサ１６，１７の出力信号を増幅するアンプや、増幅後の出力信号をデジタルの検出信号に変換するＡ／Ｄ変換器を含み、各センサ１６，１７の検出信号をＤＳＰ／ＣＰＵ５に出力する。方位センサ１６は前記光学系ブロック１のレンズ群の光軸を基準としてカメラ本体がどの方角に向けられているのかを検出するためのセンサであり、また、加速度センサ１７は、カメラ本体の前後左右方向の移動量を検出するためのセンサであり、本実施形態においては、センサブロック１０が本発明の検出手段として機能する。
【００３９】
内蔵フラッシュメモリ１３は、カメラ本体にメモリカード１５が装着されていない状態において撮影された画像のファイルが記憶される画像記憶領域と、プログラム領域とが確保されたメモリである。プログラム領域には、ＤＳＰ／ＣＰＵ５によるデジタルカメラの制御に必要な各種の制御プログラムやデータが記憶されている。上記制御プログラムには、ＡＥ（自動露出）制御やＡＦ（自動焦点調整）制御に必要なプログラムと、後述する処理を行わせることにより、ＤＳＰ／ＣＰＵ５を本発明の検索手段、表示制御手段、検索条件変更手段（第１の検索条件変更手段、第２の検索条件変更手段）、第１の検出手段、第２の検出手段、第３の検出手段、選択手段、選択条件変更手段として機能させるための画像表示プログラムが含まれる。さらに、プログラム領域には、ユーザーにより設定されたデジタルカメラが有する各種機能に関する設定データも記憶されている。
【００４０】
次に、本実施形態のデジタルカメラにおいて、予め再生モードの下位モードとして設けられている画像閲覧モードが設定されているときの前記ＤＳＰ／ＣＰＵ５の処理内容を説明する。上記画像閲覧モードは、前記メモリーカード１５に記録されている撮影画像の中から所望の画像を探す場合を想定して設けられている動作モードである。なお、以下の説明においてはメモリーカード１５に静止画データ（静止画ファイル）みが記録されているものとするが、画像閲覧モードは静止画に限らず所望の動画像（他のデジタルカメラで記録されたものも含む）を探す場合にも使用される。
【００４１】
図２及び図３は、画像閲覧モードでのＤＳＰ／ＣＰＵ５の処理内容を示したフローチャートである。図２に示したように、画像閲覧モードが設定されるとＤＳＰ／ＣＰＵ５は、まずＧＰＳブロック８によって現在位置（現在地の緯度、経度）を取得し、かつ方位センサ１６によって現在方向（カメラ本体が向けられている方向）を取得し（ステップＳ１）、ここで取得した現在位置と現在方向とを、検索用位置データ、及び検索用方向データの初期値として設定し、ＤＲＡＭ１２に記憶する（ステップＳ２）。
【００４２】
次に、上記検索用位置データにより示される位置（処理開始当初は現在位置）を中心として、検索用方向データにより示される方向の左右１０°の角度範囲内を検索対象として設定した後（ステップＳ３）、前記メモリーカード１５に記録されている複数の画像データ（静止画ファイル）の中から、属性情報として付加されている撮影位置が上記の検索対象の範囲に含まれる全ての画像データを表示候補として抽出する（ステップＳ４）。
【００４３】
例えばメモリーカード１５に記録されている複数の画像データの各々の撮影位置が図４に示したようにＰ１〜Ｐ９であった場合、カメラ本体の現在位置がＡの位置で、かつ現在方向（カメラ本体の向き）が真東であるときには、撮影位置がＰ４〜Ｐ６の画像データを表示候補として抽出し、カメラ本体の現在位置がＢの位置で、かつ現在方向（カメラ本体の向き）が真北であるときには、撮影位置がＰ２，Ｐ５，Ｐ８の画像データを表示候補として抽出する。
【００４４】
引き続き、抽出した画像データの中で、過去の所定時間内に表示が無く、且つ撮影位置が検索用位置データにより示される位置に最も近いものを探し、その距離を表示用距離データとして設定し、ＤＲＡＭ１２に記憶する（ステップＳ５）。さらに、ステップＳ４で抽出した画像データの各々について、検索用位置データにより示される位置から撮影位置までの距離を計算し、その距離が上記表示用距離データにより示される距離に最も近い画像データを表示対象として選択した後（ステップＳ６）、選択した画像データを表示装置６に表示させる（ステップＳ７）。
【００４５】
また、上記画像データを表示した後には、ユーザーによりズームキーの操作（以下、ズーム操作）があったときには（ステップＳ８でＹＥＳ）、ズーム操作に応じ、その時点における前述した表示用距離データの値（距離）を、その操作が望遠側への操作であれば増大させ、かつ広角側への操作であれば減少させるように変化させ、表示用距離データを更新する（ステップＳ９）。なお、ズームキーの１回の操作に対する表示用距離データの変更量の比率は予め決められた比率とする。
【００４６】
しかる後、前述したステップＳ６へ戻り、既に抽出されている画像データの中で、検索用位置データにより示される位置から撮影位置までの距離が、更新後の表示用距離データにより示される距離に最も近い画像データを新たな表示対象として選択した後、選択した画像データを表示装置６に表示させる（ステップＳ７）。なお、係る処理は、ステップＳ６で選択した画像データが既に表示中の場合にはスキップする。これ以後についても、さらにズームキーの操作があれば上記処理を繰り返し行う。
【００４７】
したがって、ズームキーを操作を繰り返すことにより、その時点で表示候補として抽出されている（検索した）全ての画像データを、各々の撮影位置における現在位置からの距離に応じた順序（昇順又は降順）で表示装置６に表示させることができる。
【００４８】
一方、ＤＳＰ／ＣＰＵ５は、ズームキーが操作されていない間においては（ステップＳ８でＮＯ）、図３に示したように、加速度センサ１７の検出信号に基づきユーザーによってカメラ本体の前後左右方向への移動（平行移動）操作があったか否かを逐次確認し、係る移動操作があれば（ステップＳ１０でＹＥＳ）、それに応答してカメラ本体の移動量に応じて検索用位置データを更新する（ステップＳ１１）。さらに、方位センサ１７の検出信号に基づきユーザーによってカメラ本体の向きを変える回転操作、つまりカメラ本体のＺ軸（上下方向の軸）を中心とした水平方向の回転操作があったか否かを確認し、係る回転操作があれば（ステップＳ１２でＹＥＳ）、それに応答してカメラ本体の回転量に応じて検索用方位データを更新する（ステップＳ１３）。
【００４９】
なお、図示しないが、本実施形態において上記検索用位置データの更新はカメラ本体の移動量が予め決められている一定量を超えた場合にだけ行い、かつ上記検索用方位データの更新はカメラ本体の回転量が予め決められている一定量を超えた場合にだけ行う。
【００５０】
そして、カメラ本体の移動操作または回転操作に伴って、検索用位置データまたは検索用方位データが変化したときには（ステップＳ１４でＹＥＳ）、前述した図２のステップＳ３へ戻り検索対象を更新する。すなわち、検索用位置データが変化した場合であれば、新たな検索用位置データにより示される位置を中心として、それまでの検索用方向データにより示される方向の左右１０°の角度範囲内を新たな検索対象として設定し、また、検索用方位データが変化した場合であれば、それまでの検索用位置データにより示される位置を中心として、新たな検索用方向データにより示される方向の左右１０°の角度範囲内を新たな検索対象として設定する。
【００５１】
引き続き、メモリーカード１５に記録されている複数の画像データ（静止画ファイル）の中から、属性情報として付加されている撮影位置が新たな検索対象の範囲に含まれる全ての画像データを表示候補として新たに抽出した後（ステップＳ４）、前述したステップＳ５〜Ｓ９の処理を繰り返す。つまり新たな表示候補の複数の画像データをズームキーの操作に応答し、現在位置からの距離に応じた順序（昇順又は降順）で表示装置６に表示させる。
【００５２】
そして、所定のキー操作によってユーザーに閲覧終了が指示されるまでの間は（ステップＳ１５でＮＯ）、必要に応じて前述したステップＳ３以降の処理や、ステップＳ８以降の処理を繰り返し行い、いずれかの時点で閲覧終了が指示されたら（ステップＳ１５でＹＥＳ）、画像閲覧モードによる全ての処理を終了する。
【００５３】
以上のように画像閲覧モードにおいては、各々の画像データに属性情報として付加されている撮影位置に基づき、ある程度の数の画像データを表示候補として絞り込むとともに、絞り込んだ表示候補を撮影位置に基づいた表示順に従って個別に表示することができる。その際、表示候補の画像データの切り替え作業、すなわち撮影位置に基づいた新たな表示候補の絞り込み作業を、煩雑なキー操作を行うことなく、カメラ本体の移動操作や回転操作（主として回転操作）のみによって行うことができる。したがって、メモリーカード１５に記録されている静止画の中から所望の画像を探す際の作業性や作業効率を従来に比べて向上させることができる。
【００５４】
さらに、本実施形態においては、ステップＳ１１における検索用位置データの更新を、カメラ本体の移動量が予め決められている一定量を超えた場合に限定し、また、ステップＳ１３における検索用方位データの更新を、カメラ本体の回転量が予め決められている一定量を超えた場合に限定して行うようにした。したがって、例えばユーザーがある表示候補の画像群をズームキーの操作によって切り替えながら確認している最中に、意図しないカメラ本体の動きによって表示候補が変わってしまうことが防止でき、これにより良好な
【００５５】
ここで、本実施形態においては、検索用位置データや検索用方位データの更新（変更）に要するカメラ本体の移動量や回転量を一定量に固定したものについて説明したが、その移動量や回転量をユーザーが事前に設定できる構成や自動的に設定する構成としてもよい。なお、自動的に設定する場合の方法としては、例えば最初に検索用位置データ、及び検索用方位データを取得した直後に、メモリーカード１５に記録されている全ての画像データについて撮影位置を確認するとともに、検索用位置データにより示される現在位置を中心とした全ての画像データの撮影位置を示すマップを作成しておき、係るマップに基づいて、各時点の検索用方位データにより示される方向によって決まる検索対象の角度範囲を含むとともにその角度範囲よりも広い角度範囲内における画像データの数に応じて移動量や回転量を、基準とする移動量や回転量を増減する方法が考えられる。
【００５６】
また、前述した検索対象の角度範囲（本実施形態では、検索用方位データにより示される方向の左右１０°の角度範囲）についても同様であり、それを固定したものについて説明したが、係る角度範囲についても、それをユーザーが事前に設定できる構成や自動的に設定する構成としてもよい。なお、自動的に設定する場合の方法としては、例えば抽出する画像データの数が余り多くならないように、先に述べたマップに基づいて、基準とする角度範囲を増減する方法が考えられる。
【００５７】
また、ズームキーの１回の操作に対する表示用距離データの変更量についても同様であり、それを固定したものについて説明したが、係る変更量（ズームキーの操作に対する表示用距離データの変更比率）は、ユーザーが事前に設定できるようにしてもよいし、自動的に設定するようにしてもよい。なお、自動的に設定する場合の方法としては、例えば検索用位置データにより示される位置から、ステップＳ４で抽出した各画像データの撮影位置までの各々の距離のうちの最小距離と最大距離との差に応じて、基準とする変更量を増減する方法が考えられる。
【００５８】
また、本実施形態においては、表示候補の抽出（検索）時に検索条件として使用する属性情報、及び表示対象の選択時に選択条件として使用する属性情報として、共に撮影位置を用いるものについて説明したが、本発明において検索条件及び選択条件として使用する属性情報は前述したものに限定されるものではなく、任意の属性情報を使用することができる。すなわち検索条件については、画像データの抽出（検索）に有効な属性情報であれば、例えば撮影日時、撮影者、デジタルカメラが有する撮影シーンに応じて用意されている撮影モードの種類（夜景モード、スポーツモード、人物モード等）といった項目の値を使用することができる。また、選択条件については、表示順の特定に有効なものであれば、例えば撮影日時といった項目の値を使用することができる。
【００５９】
さらに、検索条件及び選択条件として使用する属性情報（属性情報の特定項目）をユーザーが選択可能な構成としてもよい。その場合には、例えばデジタルカメラが有する各種機能を設定するための設定モードにおいて、検索条件及び選択条件として使用可能な属性情報を表示する設定画面を表示するとともに、係る設定画面において所望の属性情報をそれぞれ選択させ、その選択内容を画像閲覧モードに関する設定情報として内蔵フラッシュメモリ１３のプログラム領域に記憶する。そして、画像閲覧モードでは選択された属性情報を検索条件や選択条件として使用する処理を行えばよい。
【００６０】
また、本実施形態では、検索条件である属性情報（特定項目）の値を変更するトリガーとなるカメラ本体の動きを前後左右方向への移動、及び水平方向の回転としたものについて説明したが、本発明において上記トリガーとなるカメラ本体の動きの種類はこれに限定されるものではなく、検出可能な種類の動きであれば他の種類の動きをトリガーとすることができ、例えばｘ軸、ｙ軸、ｚ軸のいずれかを軸中心としたカメラ本体の回動であっても構わない。
【００６１】
さらに、検索条件である属性情報（特定項目）の値を変更するトリガーとなるカメラ本体の動きの種類をユーザーが選択可能な構成としてもよい。その場合にも、先に述べた検索条件及び選択条件として使用する属性情報の場合と同様に、設定モードにおいて、所望する動きの種類を選択させ、それを画像閲覧モードに関する設定情報として記憶おき、画像閲覧モードでは選択された種類のカメラ本体の動きをトリガーとする処理を行えばよい。
【００６２】
また、本実施形態では、選択条件である属性情報（特定項目）の値を変更するトリガーをズームキーの操作としたものについて説明したが、係る属性情報を変更するトリガーも、予め決められた種類のカメラ本体の動きとすることもできる。その場合におけるカメラ本体の動きも検出可能な種類の動きであれば任意の種類の動きとすることができる。その場合にも、検索条件である属性情報（特定項目）の値を変更するトリガーとなるカメラ本体の動きの種類と同様、それをユーザーが選択可能な構成としてもよい。さらに、その場合においても、カメラ本体の動き量に対応する属性情報の値を変更量の比率をユーザーが事前に設定できるようにしてもよいし、自動的に設定するようにしてもよい。
【００６３】
また、本実施形態では、本発明をデジタルカメラに適用した場合について説明したが、本発明はデジタルカメラに限らず、撮影画像を記録するとともに、それらの撮影画像を表示する機能を備えたものであれば、例えばデジタルカメラが内蔵されたカメラ付きの携帯電話端末や、カメラ機能を有していない各種の携帯情報機器にも適用することができる。
【符号の説明】
【００６４】
１    光学系ブロック
２    ＣＣＤ
５    ＤＳＰ／ＣＰＵ
６    表示装置
７    キー入力部
８    ＧＰＳブロック
９    ＧＰＳアンテナ
１０    センサブロック
１３    内蔵フラッシュメモリ
１５    メモリーカード
１６    方位センサ
１７    加速度センサ
【図１】
2012191629.tif 000003
【図２】
2012191629.tif 000004
【図３】
2012191629.tif 000005
【図４】
2012191629.tif 000006
【手続補正書】
【提出日】平成24年5月24日(2012.5.24)
【手続補正１】
【補正対象書類名】明細書
【補正対象項目名】０００６
【補正方法】変更
【補正の内容】
【０００６】
前記課題を解決するため請求項１記載の発明に係る画像表示装置にあっては、撮像により取得された撮影画像の画像データを記録する記録手段と、この記録手段に記録されている画像データに基づく画像を表示する表示手段と、前記画像データに付随する複数項目からなる属性情報におけるいずれかの項目の値を検索条件として、前記記録手段に記録されている複数の画像データの中から表示候補を検索する検索手段と、この検索手段により表示候補として検索された画像データに基づく画像を前記表示手段に表示させる表示制御手段と、前記検索手段による表示候補の検索動作と対応付けられた種類の装置本体の所定の動きの有無を逐次検出する検出手段と、この検出手段によって装置本体の所定の動きが検出されたことに応答し、前記検索手段が検索条件として使用する所定項目の値を変更する検索条件変更手段と、前記画像データに付随する複数項目からなる属性情報におけるいずれかの項目の値を選択条件として、前記検索手段により表示候補として検索された画像データの中から、前記表示制御手段が前記表示手段に画像として表示させるべき表示対象を選択する選択手段と、この選択手段による表示対象の選択動作と対応付けられた種類の装置本体の前記所定の動きとは異なる第２の動きの有無を逐次検出する第２の検出手段と、この第２の検出手段によって装置本体の第２の動きが検出されたことに応答し、前記選択手段が選択条件として使用する第２の所定項目の値を変更する選択条件変更手段とを備えたことを特徴とする。
【手続補正２】
【補正対象書類名】明細書
【補正対象項目名】０００７
【補正方法】変更
【補正の内容】
【０００７】
また、請求項２記載の発明に係る画像表示装置にあっては、前記選択条件変更手段は、前記第２の検出手段によって装置本体の第２の動きが検出されたことに応答し、前記選択手段により選択条件として使用される第２の所定項目の値を、装置本体の動き方向に対応する方向に変化させることを特徴とする。
【手続補正３】
【補正対象書類名】明細書
【補正対象項目名】０００８
【補正方法】変更
【補正の内容】
【０００８】
また、請求項３記載の発明に係る画像表示装置にあっては、前記選択手段が選択条件として使用する前記第２の所定項目として、使用者に選択された種類の項目を設定する第２の項目設定手段をさらに備えたことを特徴とする。
【手続補正４】
【補正対象書類名】明細書
【補正対象項目名】０００９
【補正方法】変更
【補正の内容】
【０００９】
また、請求項４記載の発明に係る画像表示装置にあっては、前記選択手段による表示対象の選択動作と対応付けられた装置本体の第２の動きの種類として、使用者に選択された種類を設定する第２の動き設定手段をさらに備えたことを特徴とする。
【手続補正５】
【補正対象書類名】明細書
【補正対象項目名】００１０
【補正方法】変更
【補正の内容】
【００１０】
また、請求項５記載の発明に係る画像表示装置にあっては、前記選択条件変更手段が、前記検出手段によって装置本体の第２の動きが検出されたことに応答し、前記第２の所定項目の値を変更するときの、装置本体の第２の動きの量に対する前記第２の所定項目の値の変化量の比率を設定する比率設定手段をさらに備えたことを特徴とする。
【手続補正６】
【補正対象書類名】明細書
【補正対象項目名】００１１
【補正方法】変更
【補正の内容】
【００１１】
また、請求項６記載の発明に係る画像表示方法にあっては、被写体を撮像する撮像工程と、装置本体の位置を検出する位置検出工程と、前記撮像工程により撮像して得られた画像データに対して前記位置検出工程により検出された撮影位置を関連付けて記録する記録工程と、検索用の位置を示す検索用位置データおよび検索用の方向を示す検索用方向データを任意に設定する設定工程と、前記記録工程により記録された複数の画像データの中で、その撮影位置が、前記検索用位置データが示す位置を中心として前記検索用方向データが示す方向の所定範囲内に含まれる画像データを抽出する抽出工程と、前記抽出手段により抽出された画像データを表示させる表示工程と、前記画像データに付随する複数項目からなる属性情報におけるいずれかの項目の値を選択条件として、前記抽出工程により表示候補として抽出された画像データの中から、前記表示工程により画像として表示させるべき表示対象を選択する選択工程と、この選択工程による表示対象の選択動作と対応付けられた種類の装置本体の前記所定の動きとは異なる第２の動きの有無を逐次検出する第２の検出工程と、この第２の検出工程によって装置本体の第２の動きが検出されたことに応答し、前記選択手段が選択条件として使用する第２の所定項目の値を変更する選択条件変更工程とを含むことを特徴とする。
【手続補正７】
【補正対象書類名】明細書
【補正対象項目名】００１２
【補正方法】変更
【補正の内容】
【００１２】
また、請求項７記載の発明に係る画像表示プログラムにあっては、被写体を撮像する撮像手段を有する撮像装置のコンピュータを、装置本体の位置を検出する位置検出手段と、前記撮像手段により撮像して得られた画像データに対して前記位置検出手段により検出された撮影位置を関連付けて記録する記録手段と、検索用の位置を示す検索用位置データおよび検索用の方向を示す検索用方向データを任意に設定する設定手段と、前記記録手段により記録された複数の画像データの中で、その撮影位置が、前記検索用位置データが示す位置を中心として前記検索用方向データが示す方向の所定範囲内に含まれる画像データを抽出する抽出手段と、前記抽出手段により抽出された画像データを表示させる表示手段と、前記画像データに付随する複数項目からなる属性情報におけるいずれかの項目の値を選択条件として、前記検索手段により表示候補として検索された画像データの中から、前記表示制御手段が前記表示手段に画像として表示させるべき表示対象を選択する選択手段と、この選択手段による表示対象の選択動作と対応付けられた種類の装置本体の前記所定の動きとは異なる第２の動きの有無を逐次検出する第２の検出手段と、この第２の検出手段によって装置本体の第２の動きが検出されたことに応答し、前記選択手段が選択条件として使用する第２の所定項目の値を変更する選択条件変更手段として機能させることを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】特許請求の範囲
【補正対象項目名】全文
【補正方法】変更
【補正の内容】
【特許請求の範囲】
【請求項１】
撮像により取得された撮影画像の画像データを記録する記録手段と、
この記録手段に記録されている画像データに基づく画像を表示する表示手段と、
前記画像データに付随する複数項目からなる属性情報におけるいずれかの項目の値を検索条件として、前記記録手段に記録されている複数の画像データの中から表示候補を検索する検索手段と、
この検索手段により表示候補として検索された画像データに基づく画像を前記表示手段に表示させる表示制御手段と、
前記検索手段による表示候補の検索動作と対応付けられた種類の装置本体の所定の動きの有無を逐次検出する検出手段と、
この検出手段によって装置本体の所定の動きが検出されたことに応答し、前記検索手段が検索条件として使用する所定項目の値を変更する検索条件変更手段と、
前記画像データに付随する複数項目からなる属性情報におけるいずれかの項目の値を選択条件として、前記検索手段により表示候補として検索された画像データの中から、前記表示制御手段が前記表示手段に画像として表示させるべき表示対象を選択する選択手段と、
この選択手段による表示対象の選択動作と対応付けられた種類の装置本体の前記所定の動きとは異なる第２の動きの有無を逐次検出する第２の検出手段と、
この第２の検出手段によって装置本体の第２の動きが検出されたことに応答し、前記選択手段が選択条件として使用する第２の所定項目の値を変更する選択条件変更手段と
を備えたことを特徴とする画像表示装置。
【請求項２】
前記選択条件変更手段は、前記第２の検出手段によって装置本体の第２の動きが検出されたことに応答し、前記選択手段により選択条件として使用される第２の所定項目の値を、装置本体の動き方向に対応する方向に変化させることを特徴とする請求項１記載の画像表示装置。
【請求項３】
前記選択手段が選択条件として使用する前記第２の所定項目として、使用者に選択された種類の項目を設定する第２の項目設定手段をさらに備えたことを特徴とする請求項１又は２記載の画像表示装置。
【請求項４】
前記選択手段による表示対象の選択動作と対応付けられた装置本体の第２の動きの種類として、使用者に選択された種類を設定する第２の動き設定手段をさらに備えたことを特徴とする請求項１乃至３のいずれかに記載の画像表示装置。
【請求項５】
前記選択条件変更手段が、前記検出手段によって装置本体の第２の動きが検出されたことに応答し、前記第２の所定項目の値を変更するときの、装置本体の第２の動きの量に対する前記第２の所定項目の値の変化量の比率を設定する比率設定手段をさらに備えたことを特徴とする請求項１乃至４のいずれかに記載の画像表示装置。
【請求項６】
被写体を撮像する撮像工程と、
装置本体の位置を検出する位置検出工程と、
前記撮像工程により撮像して得られた画像データに対して前記位置検出工程により検出された撮影位置を関連付けて記録する記録工程と、
検索用の位置を示す検索用位置データおよび検索用の方向を示す検索用方向データを任意に設定する設定工程と、
前記記録工程により記録された複数の画像データの中で、その撮影位置が、前記検索用位置データが示す位置を中心として前記検索用方向データが示す方向の所定範囲内に含まれる画像データを抽出する抽出工程と、
前記抽出手段により抽出された画像データを表示させる表示工程と、
前記画像データに付随する複数項目からなる属性情報におけるいずれかの項目の値を選択条件として、前記抽出工程により表示候補として抽出された画像データの中から、前記表示工程により画像として表示させるべき表示対象を選択する選択工程と、
この選択工程による表示対象の選択動作と対応付けられた種類の装置本体の前記所定の動きとは異なる第２の動きの有無を逐次検出する第２の検出工程と、
この第２の検出工程によって装置本体の第２の動きが検出されたことに応答し、前記選択手段が選択条件として使用する第２の所定項目の値を変更する選択条件変更工程と
を含むことを特徴とする画像表示方法。
【請求項７】
被写体を撮像する撮像手段を有する撮像装置のコンピュータを、
装置本体の位置を検出する位置検出手段と、
前記撮像手段により撮像して得られた画像データに対して前記位置検出手段により検出された撮影位置を関連付けて記録する記録手段と、
検索用の位置を示す検索用位置データおよび検索用の方向を示す検索用方向データを任意に設定する設定手段と、
前記記録手段により記録された複数の画像データの中で、その撮影位置が、前記検索用位置データが示す位置を中心として前記検索用方向データが示す方向の所定範囲内に含まれる画像データを抽出する抽出手段と、
前記抽出手段により抽出された画像データを表示させる表示手段と、
前記画像データに付随する複数項目からなる属性情報におけるいずれかの項目の値を選択条件として、前記検索手段により表示候補として検索された画像データの中から、前記表示制御手段が前記表示手段に画像として表示させるべき表示対象を選択する選択手段と、
この選択手段による表示対象の選択動作と対応付けられた種類の装置本体の前記所定の動きとは異なる第２の動きの有無を逐次検出する第２の検出手段と、
この第２の検出手段によって装置本体の第２の動きが検出されたことに応答し、前記選択手段が選択条件として使用する第２の所定項目の値を変更する選択条件変更手段と
して機能させることを特徴とする画像表示プログラム。